(57)【要約】【課題】利便性および保存性が向上した異種物質収容装置を提供する。【解決手段】液体などの内容物が入った容器の口部に結合されて使用される異種物質が入った収容装置であって、容器の口部に結合されて固定される本体を備え、前記本体の内部に、貯蔵空間がある収容部が形成され、該収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置であり、前記折畳型連結部に、折畳が可能な軟質の樹脂を付加することを特徴とする異種物質収容装置に関するものである。【選択図】図２
2019147629.tif 000002
【特許請求の範囲】
【請求項１】
液体などの内容物が入った容器の口部に結合されて使用される異種物質が入った収容装置であって、容器の口部に結合されて固定される本体と、前記本体の本体口部を密閉する回転型密閉栓とを備え、前記本体の内部に、貯蔵空間を有する収容部が形成され、前記収容部の内部貯蔵空間は、前記回転型密閉栓の回転によって前記本体口部が下降し、前記本体口部に接続される上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置であり、前記折畳型連結部の上部に、折り畳みが可能な軟質の樹脂により形成され、バリア性を有し、前記本体とは異なる物性を有する折畳部が一体として付加されていることを特徴とする異種物質収容装置。
【請求項２】
液体などの内容物が入った容器の口部に結合されて使用される異種物質が入った収容装置であって、容器の口部に結合されて固定される本体と、前記本体の本体口部を密閉する回転型密閉栓とを備え、前記本体の内部に、貯蔵空間を有する収容部が形成され、前記収容部の内部貯蔵空間は、前記回転型密閉栓の回転によって前記本体口部が下降し、前記本体口部に接続される上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置の製造方法であり、
前記折畳型連結部の上部に、折り畳みが可能な軟質の樹脂を多重射出する方式によって折畳部を形成することを特徴とする異種物質収容装置の製造方法。
【請求項３】
前記折畳型連結部の上部に本体口部が形成されていることを特徴とする請求項１に記載の異種物質収容装置。
【請求項４】
前記本体口部の内部にチェックバルブが形成されていることを特徴とする請求項１に記載の異種物質収容装置。
【請求項５】
前記本体の内部に、前記本体とは別体として形成されて、前記本体に組み立てられるように構成された組立式収容部を有することを特徴とする請求項１に記載の異種物質収容装置。
【請求項６】
前記折畳型連結部の上部に付加される折畳部の一部に、インジェクターの針を挿入することができる軟質部が形成されていることを特徴とする請求項１に記載の異種物質収容装置。
【発明の詳細な説明】
【技術分野】
【０００１】
本発明は、物性が異なる折畳部を本体に一体に射出成形した異種物質収容装置に関するものである。
【背景技術】
【０００２】
従来の技術としては、特許文献１および特許文献２の技術がある。
【先行技術文献】
【特許文献】
【０００３】
【特許文献１】特許第３，４３２，５３３号公報
【特許文献２】国際公開第２０１０／０４４５１５号
【特許文献３】米国特許出願公開第２０１０−９６０号明細書
【特許文献４】米国特許第３，３４７，４１０号明細書
【特許文献５】米国特許第６，３０５，５７６号明細書
【特許文献６】米国特許出願公開第２０１１−１７４６４２号明細書
【特許文献７】米国特許第７，８７４，４２０号明細書
【特許文献８】米国特許第６，３０５，５７６号明細書
【発明の概要】
【発明が解決しようとする課題】
【０００４】
前記特許文献１の場合（図３７〜図４０参照）、ドーム状の折畳部に収容部が構成され、前記収容部を圧迫すると折畳部が下方に折り畳まれ、それと同時にドーム状の貯蔵空間にあった異種物質が容器の内部に落下混合される技術であり、本発明は上述したドーム状の折畳部をシリコーンなどの軟質の材料で二重射出成形して、復元性とバリア性を向上させようとするものである。
【０００５】
特に一般的な折畳部の場合、折畳部が本体と一体になると、使用時の下方への折り畳みが容易でないという短所があり、その理由は、折畳部が薄い場合、折り畳みは容易であるが、バリア性が低下して内容物が変質するため、上述した折畳部が一定厚さ以上に成形射出されるからである。
【０００６】
そして折畳部が薄い場合、異種物質を保管する収容部を別途の素材であるアルミニウム薄板を使用し、上述したアルミニウム薄板を寄せ合わせて形成された内部の貯蔵空間に内容物を保管する方法を取った結果、貯蔵空間が狭小な弊害もあった。
【０００７】
また、ゴム製の折畳部を別途に作製して本体の上部に差し込む方式にすることもできるが、この場合、密閉性が低下することはもちろん、別途の締結部が必要な弊害があった。
【０００８】
そして、特許文献２は、上部の薄板状の密閉部を除去して折畳部を圧迫すると貯蔵空間が開く技術であり、これは特許文献１の改良発明に関するものである。
【０００９】
また他のものとして、特許文献３は、柔らかい材質のものを上部で組み立てることを示しており、これは特許文献４または特許文献５と同じ思想を有する発明である。
【００１０】
特許文献６および特許文献７においては、特許文献２の従属発明に関するものである。
【００１１】
特許文献８は、折畳部自体は、内栓部に組立式で結合されるようにしているが、柔らかい素材の折畳部をねじ山方式で結合することが難しく、また貯蔵空間に内容物を入れて折畳部を結合する時間が過度に要求される弊害があることはもちろん、折畳部を組み立てることは、その組立方式によって密閉性に著しい差がある。
【課題を解決するための手段】
【００１２】
液体などの内容物が入った容器の口部に結合されて使用される異種物質が入った収容装置であって、容器の口部に結合されて固定される本体を備え前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成されている異種物質収容装置であり、前記折畳型連結部に、折り畳みが可能な軟質の樹脂を付加するものである。
【００１３】
そして、前記折畳型連結部の上部に、軟質の樹脂を多重射出する方式によって折畳部を形成し、また前記折畳型連結部の上部に本体口部を形成し、該本体口部の内部にチェックバルブを形成するものである。
【００１４】
また、前記本体口部に、開閉型密閉栓またはヒンジ型密閉栓を結合するか、或いは前記本体の内部に組立式収容部を結合する。
【００１５】
一態様によると、液体などの内容物が入った容器の口部に結合されて使用される異種物質が入った収容装置は、容器の口部に結合されて固定される本体を備え、前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成されている。
【００１６】
そして、前記折畳型連結部に折畳部を付加するに当たり、該折畳部は、ミニチュア、キャラクタ、文字や数字、または各種形状のうちから選択される。
【００１７】
また、前記折畳部は、多重射出によって成形されたものである。
【００１８】
他の態様によると、液体などの内容物が入った容器の口部に結合されて使用される異種物質が入った収容装置であって、容器の口部に結合されて固定される本体を備え、前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置を基本構成とする。
【００１９】
そして、前記折畳型連結部は、形状部が配置され、該形状部は、ミニチュア、キャラクタ、文字や数字、または各種形状のうちから選択され、前記折畳部は、多重射出機によって射出成形されるものである。
【００２０】
また、前記折畳型連結部は、バリア性の素材でコーティングまたは蒸着されるか、あるいは熱収縮などの方法で接着されたものであって、前記本体の上部に蓋を結合したものである。
【００２１】
そして、前記折畳型連結部は、折畳部基準面を基準に折畳部が一方側に折り畳まれるように、折畳基準面の反対方向に補助折畳部を形成したものである。
【００２２】
他の態様は、液体などの内容物が入った容器の口部に結合されて使用される異種物質が入った収容装置であって、容器の口部に結合されて固定される本体を備え、前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置を基本にするものであり、前記折畳型連結部は、多重射出成形装置によって射出成形されるものである。
【００２３】
そして、前記本体口部は、回転型密閉栓を結合したものであって、該回転型密閉栓は、蓋部によって本体の上部で保護されている。
【００２４】
他には、前記本体口部は、保護型蓋を結合したものであってもよい。
【００２５】
また、前記保護型蓋は、上面部と側面部で構成され、中央には蓋本体が構成され、前記蓋本体は、蓋上面の切取線によって蓋外皮と境界を成しており、前記蓋本体において、蓋密閉部が本体口部を密閉し、そして該蓋密閉部は、蓋用連結部によって蓋外皮の下端部を構成する蓋偽造防止枠の一部に連結されている。
【００２６】
そして、前記折畳型連結部の上部に付加される折畳部の一部に、インジェクターの針を挿入することができる軟質部を形成する。
【００２７】
他の態様は、液体などの内容物が入った容器の口部に結合されて使用される異種物質が入った収容装置であって、容器の口部に結合されて固定される本体を備え、前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置であり、前記折畳型連結部は、多重射出成形機によって射出成形されるものである。
【００２８】
また他の態様は、液体などの内容物が入った容器の口部に結合されて使用される異種物質が入った収容装置において、容器の口部に結合されて固定される本体を備え、前記本体の内部に、貯蔵空間を有する収容部が形成され、前記収容部の内部貯蔵空間は、上部の折畳型連結部と折畳型連結部の下部に形成された開放部が、前記収容部の下端部を密閉する収容部密閉部を破壊して前記収容部の貯蔵空間の内容物が容器内部に落下混合されるように構成される異種物質収容装置であって、前記折畳型連結部は、多重射出成形機によって射出成形されるものである。
【００２９】
そして、前記組立式になっている収容部は、前記折畳型連結部が下部に折り畳まれる過程で切取用突片が収容部に形成された収容部切取線を破壊しながら収容部の貯蔵空間が開かれるように構成したものである。
【００３０】
更に他の態様は、内容物が入った容器の口部に結合される異種物質収容装置であって、容器の口部に結合される本体を備え、前記本体の上部にバリア性素材の折畳部を有し、前記折畳部の下部に、下側に下りるように設計された組立式開放段部が組み立てられ、前記組立式開放段部がある本体の開放段部ガイドの下端は、収容部密閉部によって密閉されている。
【００３１】
そして、前記折畳部は、多重射出機によって成形されるものである。
【００３２】
内容物が入った容器の口部に結合される異種物質収容装置であって、容器の口部に結合される本体を備え、前記本体の上部にバリア性素材の折畳部を有し、該折畳部の下部に、下側に下りるように設計された挿入式収容部が組み立てられ、前記挿入式収容部は、内部に異種物質を有し、そして段部は、下部密閉部で密閉され、該下部密閉部は、本体の開放段部ガイドに形成された開放ガイドピンによって穿孔されるように構成されていることを特徴とする異種物質収容装置である。
【００３３】
更に他の態様は、容器の口部に結合されて使用される異種物質が入った収容装置であって、容器の口部に結合される本体を備え、該本体の内部に、貯蔵空間を有する収容部が一体になるか組み立てられ、前記収容部の内部貯蔵空間は、本体の上部に折畳部が形成され、そして折畳部は、本体の上部に組み立てられた回転方式の作動型密閉栓が回転すると、前記収容部の貯蔵空間を密閉している収容部密閉部が開放するように構成されているものである。
【００３４】
更に他の態様は、容器の口部に結合されて使用される異種物質が入った収容装置であって、容器の口部に結合される本体を備え、前記本体の内部に、貯蔵空間を有する収容部が一体にされるか組み立てられ、前記収容部の内部貯蔵空間は、本体の上部に折畳部や折畳型連結部が形成され、そして折畳部または折畳型連結部は、本体の上部に組み立てられた回転方式の回転作動用蓋が回転すると、前記収容部の貯蔵空間を密閉している収容部密閉部または組立式収容部の開放部が開くように構成されているものである。
【００３５】
そして、前記収容部の貯蔵空間の下部には、第２貯蔵空間を形成し、前記第２貯蔵空間は、収容部の下端部を密閉する収容部密閉部の内部に形成するものである。
【発明の効果】
【００３６】
軟質の折畳部を圧迫して異種物質を混合させる便利性と、また折畳部がバリア性の素材で二重射出（多重射出）されるため、内容物の保存性が向上されるという特徴がある。
【図面の簡単な説明】
【００３７】
【図１】本体の縦断面図を示す図である。
【図２】１次射出成形された本体の折畳型連結部の上部に２次射出成形した状態を示す縦断面図である。
【図３】本体の密閉対応部の内側部にチェックバルブを一体に射出成形した状態を示す図である。
【図４】本体の本体口部を中心に密閉栓を組み立てた状態を示す図である。
【図５】本体の上部に蓋を組み立てた後、貯蔵空間を中心に異種物質を入れている状態を示す図である。
【図６】本体の貯蔵空間に内容物を入れて収容部の端部を収容密閉部として密閉した状態を示す図である。
【図７】完成した収容装置の斜視図である。
【図８】収容装置本体の変形例を示す図である。
【図９】図８の斜視図である。
【図１０】折畳部が折り畳まれる一例を示す要部縦断面図である。
【図１１】密閉栓が開かれる状態を示す要部縦断面図である。
【図１２】収容装置の本体上部に結合される蓋が多様に変更されることを例示する縦断面図である。
【図１３】折畳部が幅広く構造変更可能なことを例示する図である。
【図１４】本体の内部に形成される収容部が、組立式収容部で代替可能であることを例示する縦断面図である。
【図１５】本発明の本体上部に適用される折畳部は、突出されたドーム状の折畳部を圧迫する形が多様であってもよいことを示す図である。
【図１６】収容部密閉部が開放された状態を示す図である。
【図１７】折畳部をミニチュアやキャラクタ、または文字など多様な変化を示す斜視図である。
【図１８】折畳部がミニチュアやキャラクタ、または文字などへの多様な変化を示す斜視図である。
【図１９】折畳部がミニチュアやキャラクタ、または文字などへの多様な変化を示す斜視図である。
【図２０】折畳部の中央部に透明窓を設置した例を示す図である。
【図２１】折畳部に蓋を結合した例を示す図である。
【図２２】折畳部が片側に折り畳まれるようにした例を示す図である。
【図２３】本体の本体口部にチェックバルブを配置するか、または多様な形の排出装置（密閉栓）を形成した例を示す図である。
【図２４】本体の本体口部にチェックバルブを配置するか、または多様な形の排出装置（密閉栓）を形成した例を示す図である。
【図２５】本体の本体口部にチェックバルブを配置するか、または多様な形の排出装置（密閉栓）を形成した例を示す図である。
【図２６】保護型蓋が組み立てられた収容装置の斜視図である。
【図２７】本体の縦断面図である。
【図２８】保護型蓋の斜視図である。
【図２９】保護型蓋の変形された斜視図である。
【図３０】本体の上部に保護型蓋が組み立てられた収容装置の縦断面図である。
【図３１】図３０のような状態で蓋外皮が除去された状態を示す図である。
【図３２】図３１のような収容装置が容器に結合された一例を示す斜視図である。
【図３３】図３２のような状態で蓋本体の上部を押して容器空間部に異種物質が混合される状態を示す図である。
【図３４】図３３のような状態で蓋密閉部を開けた状態を示す図である。
【図３５】収容装置の縦断面図である。
【図３６】図３５のような状態で蓋外皮を除去した状態を示す図である。
【図３７】図３６のような状態で蓋本体を圧迫した状態を示す図である。
【図３８】本体の形が異なる他の収容装置に保護型蓋が結合された例を示す図である。
【図３９】保護型蓋の設計が変更され、該保護型蓋が多様な形の本体に結合された状態を示す収容装置の縦断面図である。
【図４０】収容装置の本体上部にヒンジ（連結部）状で開閉される蓋の組立状態を示す縦断面図である。
【図４１】本体の上部に形成される折畳部は必要に応じて一部の設計が変更される多様な方式で射出成形し得ることを示す図である。
【図４２】収容部密閉部を開放する開放端部の一形態を示す図である。
【図４３】折畳部は、一方側方向に折られる方式で折り畳みが可能であることを示す図である。
【図４４】収容装置の縦断面図である。
【図４５ａ】収容装置の接着断面の多様な変形例を示す要部縦断面図である。
【図４５ｂ】収容装置の接着断面の多様な変形例を示す要部縦断面図である。
【図４５ｃ】収容装置の接着断面の多様な変形例を示す要部縦断面図である。
【図４６】収容部密閉部を開放する開放部を組立式開放部に代替した状態を示す図である。
【図４７】折畳型連結部の上部に形成される折畳部が、ホイルやその他のバリア性の素材でコーティングされるか、真空蒸着または熱接着されてもよいことを示す図である。
【図４８】バリア性素材の折畳部を本体の折畳型連結部の上部に熱接着などの方法で接着した状態を示す縦断面図である。
【図４９】折畳型連結部の上部にバリア性素材をコーティングするか蒸着または接着した状態を示す図である。
【図５０】折畳型連結部の上部にバリア性素材をコーティングするか蒸着または接着した状態を示す図である。
【図５１】折畳型連結部の上部に折畳部を差込方式で結合した状態を示す図である。
【図５２】収容部を本体の内部に組立式収容部に代替した例を示す図である。
【図５３】図５２の、組立式収容部の縦断面図である。
【図５４】図５１の折畳部を圧迫すると組立式収容部の密閉面が破壊されながら開かれる状態を示す要部縦断面図である。
【図５５】組立式収容部の一適用例を示す縦断面図である。
【図５６】組立式収容部の変形例を示す図である。
【図５７】変形された組立式収容部、そして組立式収容部の構造を表現した他の収容装置の縦断面図である。
【図５８】本発明の本体の内部に組立式開放段部または挿入式収容部を結合した例を示す収容装置の縦断面図である。
【図５９】本発明の本体の内部に組立式開放段部または挿入式収容部を結合した例を示す収容装置の縦断面図である。
【図６０】収容装置の縦断面図である。
【図６１】作動型密閉栓を回転させることで折畳部が下方に折り畳まれた状態を示す要部縦断面図である。
【図６２】衛生蓋を付加した状態を示す図である。
【図６３】作動型密閉栓の変形例を示す図である。
【図６４】収容装置の本体内部に組立式開放段部を結合した状態を示す図である。
【図６５】作動型密閉栓のまた他の変形例を示す図である。
【図６６】本体内部に組立式収容部を結合した例を示す図である。
【図６７】本体内部に組立式収容部を結合した例を示す図である。
【図６８】作動型密閉栓を作動すると本体の本体口部が上がり、その過程で折畳部が上部に開かれながら収容部の収容部密閉部が破壊される一例を示す図である。
【図６９】作動型密閉栓を作動すると本体の本体口部が上がり、その過程で折畳部が上部に開かれながら収容部の収容部密閉部が破壊される一例を示す図である。
【図７０】回転作動用蓋を本体の上部に結合した状態を示す図である。
【図７１】折畳型連結部の上部にバリア性素材のものを付加した状態を示す縦断面図である。
【図７２】回転作動用蓋の内部に内部密閉部を付加してバリア性を向上させた状態を示す図である。
【図７３】回転作動用蓋を回転させると折畳部が上がり、その過程で貯蔵空間が開くように設計した図である。
【図７４】回転作動用蓋を回転させると折畳部が上がり、その過程で貯蔵空間が開くように設計した図である。
【図７５】回転作動用蓋を回転させると本体に更に結合されながら貯蔵空間が開くように設計した図である。
【図７６】収容装置を容器に組み立てた後、収縮フィルムで封じて製品の安全性を向上させた一例を示す図である。
【図７７】収容装置をカップ状にし、上述した収容装置を容器に結合した一状態を示す図である。
【図７８】収容装置をカップ状に製作する一例を示す図である。
【図７９】収容装置をカップ状に製作する一例を示す図である。
【図８０】収容装置をカップ状に製作する一例を示す図である。
【図８１】カップ状に製作した収容装置の斜視図である。
【図８２】カップ状に製作した収容装置の斜視図である。
【図８３】収容装置の一使用例を示す図である。
【図８４】本発明の収容装置において、パウチ容器に適用し得るようにフィルム接着面を形成した例を示す図である。
【図８５】本発明の収容装置がアルミニウムなどの金属製外包装材を介して容器に結合された例を示す図である。
【図８６】本発明の収容装置の内部に複数の貯蔵空間を形成した例を示す図である。
【図８７】本発明の収容装置の内部に複数の貯蔵空間を形成した例を示す図である。
【図８８】本発明の収容装置の内部に複数の貯蔵空間を形成した例を示す図である。
【図８９】本発明の収容装置の内部に複数の貯蔵空間を形成した例を示す図である。
【図９０】本発明の収容装置の内部に複数の貯蔵空間を形成した例を示す図である。
【図９１】本発明の収容装置の内部に複数の貯蔵空間を形成した例を示す図である。
【図９２】本発明の収容装置の内部に複数の貯蔵空間を形成した例を示す図である。
【図９３】本発明の収容装置の内部に複数の貯蔵空間を形成した例を示す図である。
【図９４】本発明の収容装置の内部に複数の貯蔵空間を形成した例を示す図である。
【図９５】本発明の収容装置の内部に複数の貯蔵空間を形成した例を示す図である。
【図９６】本発明の収容装置の内部に複数の貯蔵空間を形成した例を示す図である。
【図９７】本発明の収容装置の内部に複数の貯蔵空間を形成した例を示す図である。
【図９８】本発明の収容装置の内部に複数の貯蔵空間を形成した例を示す図である。
【図９９】本体の内部に挿入式収容部を結合した状態を示す図である。
【図１００】本体の内部に挿入式収容部を結合した状態を示す図である。
【図１０１】本体に多様な方式で組立式折畳部を形成した例を示す図である。
【図１０２】本体に多様な方式で組立式折畳部を形成した例を示す図である。
【図１０３】本体に多様な方式で組立式折畳部を形成した例を示す図である。
【図１０４】本体に多様な方式で組立式折畳部を形成した例を示す図である。
【図１０５】本体に多様な方式で組立式折畳部を形成した例を示す図である。
【図１０６】本体に多様な方式で組立式折畳部を形成した例を示す図である。
【図１０７】本体に多様な方式で組立式折畳部を形成した例を示す図である。
【図１０８】折畳型連結部の上部にバリア性素材を付加した多用な例を示す図である。
【図１０９】折畳型連結部の上部にバリア性素材を付加した多用な例を示す図である。
【図１１０】折畳型連結部の上部にバリア性素材を付加した多用な例を示す図である。
【図１１１】折畳型連結部の上部にバリア性素材を付加した多用な例を示す図である。
【図１１２】折畳型連結部の上部にバリア性素材を付加した多用な例を示す図である。
【図１１３】折畳型連結部の上部にバリア性素材を付加した多用な例を示す図である。
【発明を実施するための形態】
【００３８】
図１乃至図１６は、本発明の第１実施例を示す図である。
図１７乃至図２２は、本発明の折畳部の多様な実施例を示す図である。
図２３乃至図３９は、本発明の他の実施例を示す図である。
図２６乃至図３９は、本発明の本体口部を中心に結合される保護型蓋の一例を示す図である。
図３５乃至図３７は、僅かに変形した保護型蓋を示す図である。
図４０乃至図４６は、本発明の一部を変更することで多様な目的を達成し得るということを示す図である。
図４４乃至図４５は、収容部の接着断面の変化を示す図である。
図４７乃至図５１は、本発明の他の実施を示す図である。
図５２乃至図５７は、本発明のまた他の例を示す図である。
図６０乃至図７５は、本体の上部に結合される作動型密閉栓および回転作動用蓋の適用状態を示す図である。
図７６乃至図８４は、収容装置のまた他の変形例を示す図である。
【００３９】
以下、図１〜図１６を参照して説明する。
【００４０】
液体などの内容物が入った容器の口部に結合されて使用される異種物質が入った収容装置１は、容器の口部に結合されて固定される本体１００を備え、前記本体１００の内部には貯蔵空間１０８を有する収容部１０７が形成され、上述した収容部１０７の内部貯蔵空間１０８は、上部の折畳型連結部１０２と折畳型連結部１０２の下部に形成された開放部１０６が、前記収容部１０７の下端部を密閉する収容部密閉部４００を破壊して前記収容部１０７の貯蔵空間１０８の内容物が容器内部に落下混合されるように構成されている。
【００４１】
そして、前記折畳型連結部１０２に折畳が可能な軟質の樹脂を付加し、その方法としては、シリコンなどのゴム材質のもの、または軟質の合成樹脂で、多重射出成形機により折畳部Ｆを形成する。
【００４２】
即ち、前記折畳型連結部１０２の上部に、折畳用樹脂である軟質の樹脂を多重射出する方式で、折畳部Ｆを形成する。
【００４３】
また、前記折畳型連結部１０２の上部には本体口部１０３を形成し、状況に応じて、図３に示すように、前記本体口部１０３の内部にはチェックバルブＣＶを形成する。
【００４４】
そして、前記本体口部１０３には開閉型密閉栓２００またはヒンジ型密閉栓が結合される。
【００４５】
このような発明は、図６のような状態で容器に結合され、図６の場合、本体１００の側面部１０１の内壁部に形成されたねじ山が特殊であり、このようなねじ山は、様々な容器の首に結合されることを容易にする。
【００４６】
図６または図８のような状態で、蓋３００を除去すると偽造防止枠３０１から蓋３００が除去される。
【００４７】
上述した状態で密閉栓２００を圧迫すると、図１０に示したように折畳部Ｆが折り畳まれ、同時に開放部１０６が収容部密閉部４００を切り取り、その過程で貯蔵空間１０８に入っている異種物質が容器の内部に落下混合されるのである。
【００４８】
このように、密閉栓２００を引き上げると、図１１に示したように密閉栓２００の密閉部２０１が、本体１００の密閉対応部１０５から逸脱するようになる。
【００４９】
上述した状態では、容器内部の混合された内容物が密閉栓２００の排出空間２０２を介して排出される。
【００５０】
そして、図１２は、蓋３００の形状を異ならせた図であり、図１３も折畳部Ｆの形状を多様にすることができるということを示す図である。
【００５１】
図１４は、前記本体１００の内部に組立式収容部５００を結合したものを示す図であり、詳しくは、組立式収容部５００は、本体１００のかかり１０９に組立枠５０１が差し込まれる方式で組み立てられている。
【００５２】
そして、組立式収容部５００の下端部は、密閉面５０２が収容部切取線５０３で区画され、前記密閉面５０２の上方には収容部貯蔵空間５０４が形成されている。
【００５３】
このような本発明の使用の際には、開放部１０６の端部が収容部切取線５０３を破壊して、上記過程によって密閉面５０２が開かれ、同時に収容部貯蔵空間５０４の内容物が落下混合される。
【００５４】
そして、図１７〜図２０に示したように、前記折畳型連結部には折畳部Ｆを付加するに当たって、該折畳部Ｆはミニチュア、キャラクタ、文字や数字、または各種形状のうちから選択されたものであり、前記折畳部Ｆは、多重射出機によって射出成形されるものである。
【００５５】
また、図２０に示すように、折畳部Ｆの中央に透明窓１１１を配置して、貯蔵空間に入った異種物質を識別し得るようにしてもよい。
【００５６】
上記のような本発明において、前記折畳型連結部１０２は、バリア性の素材でコーティングまたは蒸着されるか、或いは熱収縮などの方法で接着されてもよい。
【００５７】
そして、前記本体１００の上部には、蓋３００を結合して、折畳部Ｆを保護することが好ましい。
【００５８】
図２２に示すように、前記折畳型連結部（折畳部Ｆ）は、折畳基準面１１４を基準に折畳部Ｆが一側に折り畳まれるように、折畳基準面１１４の反対方向に補助折畳部１１３を形成したものであり、使用時に補助折畳部１１３を圧迫すると、開放部１０６が収容密閉部４００を開放するようになっている。
【００５９】
そして図２３に示すように、本体口部１０３にチェックバルブＣＶを配置し、その上部には蓋３００を組み立て、該蓋３００の口部密閉部３０６が、チェックバルブＣＶ部位に密着するように構成する。
【００６０】
前記図２３の場合、蓋３００の開封案内部３０４を引き上げると、分離用切取線３０５が破壊されながら口部密閉部３０６が上がり、上述した蓋３００は、蓋連結部３０７によって本体１００に固定されるようになる。
【００６１】
図２４は、本体１００の本体口部１０３にヒンジ型密閉栓６００が結合されており、使用時には、上部に組み立てられた蓋３００を除去して案内部６０１を引き上げると、ヒンジ型密閉栓６００が開き、上述したヒンジ型密閉栓６００は、栓連結部６０２によって本体口部１０３に連結されるようになっている。
【００６２】
また、図２５は、本体口部１０３に回転型密閉栓７００を結合したものであり、前記回転型密閉栓７００は、蓋部７０２によって本体１００の上部に保護されている。
【００６３】
このような本発明の使用の際には、回転型密閉栓本体７０１を圧迫すると、蓋部切取線７０３が破壊されると同時に、開放部１０６が下方に下りながら収容部１０７の内容物を混合させる。
【００６４】
他のものとして、蓋部７０２を先に除去した後で回転型密閉栓７００を圧迫してもよい。
【００６５】
他の実施例では、図２６〜図３９に示したように、前記本体口部１０３に保護型蓋８００を結合し、該保護型蓋８００は、上面部８０７と側面部８０６で構成され、中央には蓋本体８０１が構成され、該蓋本体８０１は、蓋上面切取線８０９によって蓋外皮８０５と境界を成しており、前記蓋本体８０１は、本体口部１０３を密閉する蓋密閉部８０２が設けられ、そして該蓋密閉部８０２は、蓋用連結部８０４によって、蓋外皮８０５の下端部を構成する蓋偽造防止枠８０８の一部に連結されている。
【００６６】
このような本発明は、蓋外皮８０５を除去すると図３２のようであり、上述した状態で蓋本体８０１を圧迫すると、図３３のように、折畳部Ｆが折られながら内容物が容器１０００内部の容器空間部１００２に落下混合される。
【００６７】
そして、混合された内容物を排出しようとする際には、蓋案内部８０３を引き上げると、図３４に示したように蓋密閉部８０２が開かれる。
【００６８】
また、蓋用連結部８０４を形成するために、図３０のように、上部には垂直空間８１０を形成し、そして側面には、水平空間８１１を形成すると、金型の製作および射出成形が容易である。
【００６９】
図３５〜図３７は、類似した方式の収容装置１に保護型蓋８００が使用されている状態を示す図であり、特に図３７は使用状態を示す図である。
【００７０】
図３８は、また他の類似した方式の収容装置１であって、本体１００に保護型蓋８００が結合された状態を示す図である。
【００７１】
図３９は、密閉対応部１０５の一部にチェックバルブＣＶがあり、上部には、チェックバルブＣＶの上部を蓋本体密閉部８１４が密閉する保護型蓋８００が結合されている状態を示す図である。
【００７２】
使用時には、蓋外皮８０５を除去して、密閉部上面８１５を圧迫すると、開放部１０６が収容部密閉部４００を開かせる。
【００７３】
図４０では、折畳部Ｆの中央に、インジェクターなどを使用し得る軟質部１１５を形成している。
【００７４】
図４３では、開放部１０６の段部に開放段部１１６が配置されており、図４３では、折畳部Ｆが一方側に折られるように突出された折畳圧迫面１１７の反対側面に折畳基準面１１８が形成されている。
【００７５】
図４４では、収容部１０７の接着断面１１９の断面積を広げるために、図４５ａのように、接着断面１１９を配置しており、図示したように、収容部１０７の厚さ「Ａ」より接着断面１１９の厚さ「Ａ’」がより広くなるようにしている。
【００７６】
そして、図４５ｂにおいても、収容部１０７の厚さであるＢよりも、接着断面１１９Ｂの厚さであるＢ’がより広くなるようにされており、図４５ｃにおいても、収容部１０７の厚さであるＣよりも、接着断面１１９Ｃの厚さであるＣ’がより広くなるように構成されている。
【００７７】
図４６は、組立式開放部１２０が形成された状態を示しており、図４７は、折畳型連結部１０２の上部にコーティングや蒸着またはバリア性素材が接着された状態を示している。
【００７８】
図４８では、トレイなどバリア性素材のものが、折畳型連結部１０２の上部に形成（結合や接着など）されている。
【００７９】
図４９〜図５０は、バリア性素材で折畳部Ｆがコーティングや接着などの方法で構成された例を示す図である。
【００８０】
図５１は、折畳型連結部１０２の上部に、折畳部Ｆが差し込まれる方式で結合された例を示しており、この場合バリア性が向上するという特徴がある。
【００８１】
図５２は、液体などの内容物が入った容器の口部に結合されて使用される異種物質が入った収容装置１であって、容器の口部に結合されて固定される本体１００は、該本体１００の内部に、収容部貯蔵空間５０４を有する収容部が組立式収容部５００で結合され、該組立式収容部５００内部の収容部貯蔵空間５０４は、上部の折畳型連結部１０２と折畳型連結部１０２の下部に形成された開放部１０６が、前記組立式収容部５００の下端部を密閉する収容部密閉部、即ち、密閉面５０２を破壊して前記組立式収容部５０４の内容物が容器内部に落下混合されるように構成した図である。
【００８２】
前記折畳型連結部１０２または折畳部Ｆは多重射出成形機によって射出成形されるものである。
【００８３】
また、開放部１０６が密閉面５０２を容易に押すように、密閉面５０２の上部には、上部突起５０６を具備し、この場合、図５４のようになる。
【００８４】
図５３は、組立式収容部５００を示す図であり、組立枠５０１が本体のかかり１０９にかかるようになっていて、密閉面５０２がよく開くように、密閉面連結部５０５を、収容部切取線５０３の反対方向に形成している。
【００８５】
図５５の場合、開放部１０６が、収容部切取線５０３を破壊しながら収容部貯蔵空間５０４を開放している。
【００８６】
そして、図５６では、組立式になっている組立式収容部５００は、前記折畳型連結部１０２が下部に折り畳まれる過程で、切取用突片５０７が、組立式収容部５００に形成された収容部切取線５０３を破壊しながら組立式収容部５００の収容部貯蔵空間５０４が開くように構成されており、弾力片５０８は、開いた後閉まらないように構成されている。
【００８７】
図５７では、開放断部１１６を配置して、収容部貯蔵空間５０４がよく開くように構成している。
【００８８】
図５８では、折畳部Ｆを圧迫すると、組立式開放段部９００が開放段部ガイド１２３の下端部を密閉している収容部密閉部４００を破壊するように構成されている。
【００８９】
好ましくは、内容物が入った容器の口部に結合される異種物質収容装置１は、容器の口部に結合される本体１００は、該本体１００の上部にバリア性素材の折畳部Ｆを有し、前記折畳部Ｆの下部には、下側に下りるように設計された組立式開放段部９００が組み立てられ、前記組立式開放段部９００を有する本体１００の開放段部ガイド１２３の下端は、収容部密閉部４００によって密閉されている。
【００９０】
図５９では、折畳部Ｆを圧迫すると、開放段部ガイド１２３の内部に入った挿入式収容部１１００が下降し、その過程で下方密閉部１１０２が、開放ガイドピン１２０１によって破壊されて、前記挿入式収容部１１００の挿入式収容部貯蔵空間１１０１が開くように構成している。
【００９１】
言い換えると、内容物が入った容器の口部に結合される異種物質収容装置１は、容器の口部に結合される本体１００を備え、該本体１００の上部に、バリア性素材の折畳部Ｆを有し、前記折畳部Ｆの下部に、下側に下りるように設計された組立式開放段部１１００が組み立てられ、前記組立式開放段部１１００は、内部に異種物質を有し、そして端部は下部密閉部１１０２で密閉され、該下部密閉部１１０２は、本体の開放端部ガイド１２３に形成された開放ガイドピン１２０１によって穿孔されるように構成されている。
【００９２】
容器の口部に結合されて使用される異種物質収容装置１において、容器の口部に結合される本体１００は、該本体１００の内部に、貯蔵空間１０８を有する収容部１０７が、一体になっているか組み立てられ、本体１００の上部に折畳部Ｆが形成され、そして折畳部Ｆは、本体１００の上部に組み立てられた回転方式の作動密閉栓１３００が回転すると、前記収容部１０７の貯蔵空間１０８において、前記収容部１０７の貯蔵空間１０８を密閉している収容部密閉部４００を開放するように構成されている。
【００９３】
図６０を参照して説明すると、作動型密閉栓１３００を回転させると、本体口部対応部１３０１は、本体口部１０３のねじ山やねじ溝へ対応して、本体口部１０３が図６１のように下降する。
【００９４】
上述した過程において、開放部１０６が収容部密閉部４００を開かせる。
【００９５】
そして、前記作動型密閉栓１３００は、支持対応部１２４上で支持部１３０２を回転させながら開放部１０６を加工させるのであり、作動時には、作動型密閉栓偽造防止策１３０３が破壊されるため偽・変造の有無を確認することができる。
【００９６】
また、混合された内容物は、密閉栓用排出孔１３０４を介して排出される。
【００９７】
図６３は、密閉栓上部排出面１３０５を排出面密閉部１２５が密閉している状態を示している。
【００９８】
図６４は、収容部１０７の内部に組立式開放段部９００を組み立てた状態を示している。
【００９９】
図６６では、組立式収容部５００を、本体１００のかかり１０９を基準に組立枠５０１がかかるように構成している。
【０１００】
図６７では、折畳部Ｆは、切取用突片５０７が収容部切取線５０３を破壊するように構成している。
【０１０１】
言い換えると、容器の口部に結合されて使用される異種物質収容装置１は、容器の口部に結合される本体１００を備え、前記本体１００の内部に、貯蔵空間１０８を有する収容部１０７が一体になっているか組み立てられ、本体１００の上部に折畳部Ｆや折畳型連結部１０２が形成され、そして折畳部Ｆまたは折畳型連結部１０２は、本体１００の上部に組み立てられた回転方式の回転作動用蓋１３００が回転すると、前記収容部１０７の貯蔵空間１０８において、前記収容部１０７の貯蔵空間１０８を密閉している収容部密閉部４００または組立式収容部５００の開放部、即ち、密閉面５０２が開かれるように構成されている。
【０１０２】
図６８〜図６９に示すように、開放部１０６は、上昇しながら収容部密閉部４００を開かせる。
【０１０３】
図７０を参照すると、回転作動用蓋１５００を回転させると、折畳部離隔部１５０２が、離隔部対応部１２６を下方に押し、同時に折畳部Ｆが下降し、その過程で開放部１０６が収容部密閉部４００を開放するようになる。
【０１０４】
図７１に示すように、バリア性素材で形成された上部補助密閉部１２７を付加してもよい。
【０１０５】
図７３のように、回転作動用蓋１５００を回転させると、折畳部離隔部１５０２が、離隔部対応部１２６のねじ山またはねじ溝によって、開放段部１１６を上部に引き上げ、その過程で収容部貯蔵空間５０４が開くようになる（図７４参照）。
【０１０６】
図７５は、回転作動用蓋１５００を開放すると開放する過程で開放部１０６が押される原理である。
【０１０７】
図７７〜図８３は、収容装置１をカップ状に製作した原理である。
【０１０８】
図８５は、収容装置１に金属材の外包装材１９００を結合した状態である。
【０１０９】
図８６〜図９８は、収容部の貯蔵空間を複数個に形成した例を示している。
【０１１０】
図１０１〜図１０２は、組立式折畳部２２００を結合した状態であり、特に図１０２では、上部折畳部２２０１を圧迫すると、差込部切取線２２０３が破壊されながら下降される。
【０１１１】
図１０８では、折畳型連結部１０２の上方にバリア性素材の本体上面密閉部１３９を接着しており、使用の際には、図１０９のように、本体上面密閉部１３９を除去せずに圧迫すると、開放部１０６が収容部密閉部４００を破壊する。
【０１１２】
よって、本体上面密閉部１３９は伸縮性のある素材であることが好ましい。
【０１１３】
そして、図１１１では、折畳型連結部１０２に移動空間１４４を具備して、上部にも内容物が保管されるようにしている。
【０１１４】
また、図１１３では、折畳型連結部１０２の上方に、トレインなどの素材でできたバリア性素材のもので保護蓋２３００を構成しており、使用の際には、保護蓋２３００を圧迫すると、保護蓋２３００と一緒に折畳型連結部１０２が折り畳まれるようになる。
【０１１５】
未説明の符号は、組立式開放部１２０、一体型蓋１２１、一体型蓋連結部１２２、支持対応部１２４、排出面密閉部１２５、離隔対応部１２６、上部補助密閉部１２７、折畳部収容面１２８、一体型蓋案内部１２９、本体収容部密閉面１３０、本体密閉連結部１３１、本体収容部切取線１３２、下部突起１３３、下部突起かかり部１３４、フィルム接着面１３５、穿孔ピン１３６、本体開放ガイド空間１３８、
本体上面密閉部１３９、折畳部上部空間４０、本体上段ガイド１４１、本体切取用連結部１４２、本体切取用突片１４３、突出圧迫部１４５、組立突起３０２、上面切取線３０３、分離用切取線３０５、口部密閉部３０６、蓋連結部３０７、第１貯蔵空間４０１、第２貯蔵空間切取片４０２、上部突起５０６、突片５０８、組立式収容部下部穿孔部５０９、組立式収容部第２貯蔵空間５１０、貯蔵空間口部境界面５１１、下部貯蔵空間５１２、栓連結部６０２、回転型密閉栓本体７０１、蓋部７０２、蓋部切取線７０３、分離用切取線８１２、分離用空間８１３、蓋本体密閉部８１４、密閉部上面８１５、組立式開放段部穿孔ピン９０１、容器の首１００１、挿入式収容部１１００、挿入式収容部口部１１０３、開放ガイド１２００、開放ガイドピン１２０１、開放ガイド空間１２０２、本体口部対応部１３０１、支持部１３０２、作動型密閉栓用偽造防止枠１３０３、密閉栓用排出孔１３０４、密閉栓排出面１３０５、衛生蓋１４００、
衛生蓋密閉面１４０１、蓋用支持部１５０１、折畳部離隔部１５０２、回転作動用蓋偽造防止枠１５０３、内部密閉部１５０４、偽造防止枠除去ピン１５０５、収縮フィルム１６００、収縮フィルム除去ピン１６０１、本体上部結合用蓋１７００、蓋用開放部１７０１、連結部１７０２、衛生用密閉部１８００、外包装材１９００、補助本体２０００、補助本体口部２００１、補助本体貯蔵空間密閉面２００２、補助本体第２貯蔵空間、２００３、補助本体貯蔵空間２００４、補助本体密閉面２００５、補助本体切取線２００６、補助本体密閉下端部２００７、補助本体密閉部２１００、組立式切取部２２００、上部折畳部２２０１、組立式折畳部開放部２２０２、差込部切取線２２０３、差込部２２０４、組立式折畳部開放段部密閉面２２０５である。
【産業上の利用可能性】
【０１１６】
本発明の異種物質排出装置は、特殊な飲料や特に水、酒類など、多様な製品にエキスやパウダーなどの内容物を落下混合して飲用することができ、また内容物を分離してから混合する化学薬品やその他の生活用品などに多様に適用可能である。
【図１】
2019147629.tif 000003
【図２】
2019147629.tif 000004
【図３】
2019147629.tif 000005
【図４】
2019147629.tif 000006
【図５】
2019147629.tif 000007
【図６】
2019147629.tif 000008
【図７】
2019147629.tif 000009
【図８】
2019147629.tif 000010
【図９】
2019147629.tif 000011
【図１０】
2019147629.tif 000012
【図１１】
2019147629.tif 000013
【図１２】
2019147629.tif 000014
【図１３】
2019147629.tif 000015
【図１４】
2019147629.tif 000016
【図１５】
2019147629.tif 000017
【図１６】
2019147629.tif 000018
【図１７】
2019147629.tif 000019
【図１８】
2019147629.tif 000020
【図１９】
2019147629.tif 000021
【図２０】
2019147629.tif 000022
【図２１】
2019147629.tif 000023
【図２２】
2019147629.tif 000024
【図２３】
2019147629.tif 000025
【図２４】
2019147629.tif 000026
【図２５】
2019147629.tif 000027
【図２６】
2019147629.tif 000028
【図２７】
2019147629.tif 000029
【図２８】
2019147629.tif 000030
【図２９】
2019147629.tif 000031
【図３０】
2019147629.tif 000032
【図３１】
2019147629.tif 000033
【図３２】
2019147629.tif 000034
【図３３】
2019147629.tif 000035
【図３４】
2019147629.tif 000036
【図３５】
2019147629.tif 000037
【図３６】
2019147629.tif 000038
【図３７】
2019147629.tif 000039
【図３８】
2019147629.tif 000040
【図３９】
2019147629.tif 000041
【図４０】
2019147629.tif 000042
【図４１】
2019147629.tif 000043
【図４２】
2019147629.tif 000044
【図４３】
2019147629.tif 000045
【図４４】
2019147629.tif 000046
【図４５ａ】
2019147629.tif 000047
【図４５ｂ】
2019147629.tif 000048
【図４５ｃ】
2019147629.tif 000049
【図４６】
2019147629.tif 000050
【図４７】
2019147629.tif 000051
【図４８】
2019147629.tif 000052
【図４９】
2019147629.tif 000053
【図５０】
2019147629.tif 000054
【図５１】
2019147629.tif 000055
【図５２】
2019147629.tif 000056
【図５３】
2019147629.tif 000057
【図５４】
2019147629.tif 000058
【図５５】
2019147629.tif 000059
【図５６】
2019147629.tif 000060
【図５７】
2019147629.tif 000061
【図５８】
2019147629.tif 000062
【図５９】
2019147629.tif 000063
【図６０】
2019147629.tif 000064
【図６１】
2019147629.tif 000065
【図６２】
2019147629.tif 000066
【図６３】
2019147629.tif 000067
【図６４】
2019147629.tif 000068
【図６５】
2019147629.tif 000069
【図６６】
2019147629.tif 000070
【図６７】
2019147629.tif 000071
【図６８】
2019147629.tif 000072
【図６９】
2019147629.tif 000073
【図７０】
2019147629.tif 000074
【図７１】
2019147629.tif 000075
【図７２】
2019147629.tif 000076
【図７３】
2019147629.tif 000077
【図７４】
2019147629.tif 000078
【図７５】
2019147629.tif 000079
【図７６】
2019147629.tif 000080
【図７７】
2019147629.tif 000081
【図７８】
2019147629.tif 000082
【図７９】
2019147629.tif 000083
【図８０】
2019147629.tif 000084
【図８１】
2019147629.tif 000085
【図８２】
2019147629.tif 000086
【図８３】
2019147629.tif 000087
【図８４】
2019147629.tif 000088
【図８５】
2019147629.tif 000089
【図８６】
2019147629.tif 000090
【図８７】
2019147629.tif 000091
【図８８】
2019147629.tif 000092
【図８９】
2019147629.tif 000093
【図９０】
2019147629.tif 000094
【図９１】
2019147629.tif 000095
【図９２】
2019147629.tif 000096
【図９３】
2019147629.tif 000097
【図９４】
2019147629.tif 000098
【図９５】
2019147629.tif 000099
【図９６】
2019147629.tif 000100
【図９７】
2019147629.tif 000101
【図９８】
2019147629.tif 000102
【図９９】
2019147629.tif 000103
【図１００】
2019147629.tif 000104
【図１０１】
2019147629.tif 000105
【図１０２】
2019147629.tif 000106
【図１０３】
2019147629.tif 000107
【図１０４】
2019147629.tif 000108
【図１０５】
2019147629.tif 000109
【図１０６】
2019147629.tif 000110
【図１０７】
2019147629.tif 000111
【図１０８】
2019147629.tif 000112
【図１０９】
2019147629.tif 000113
【図１１０】
2019147629.tif 000114
【図１１１】
2019147629.tif 000115
【図１１２】
2019147629.tif 000116
【図１１３】
2019147629.tif 000117